(57)【特許請求の範囲】
【請求項１】
底部が床に横置き可能である台座と、
一端が前記台座の前縁部に固定され、他端が上方に向かって延伸する伸縮棒と、
前記伸縮棒の他端に固設されており少なくとも１個の表示部及び少なくとも１個の設定ボタンが設けられている操作盤と、前記操作盤の両対向側に固設されており少なくとも１個の制御ボタンが設けられている２つの操作ハンドルと、前記表示部、前記設定ボタン及び前記制御ボタンに電気的に接続されており利用者が前記設定ボタン及び前記制御ボタンで選択した異なる入力信号によって異なる出力信号を生成し且つ前記出力信号を前記表示部に表示し、前記出力信号を駆動信号の１セットからなる運動モードに対応させる操作回路とを有する操作装置と、
一端が前記台座の後縁部に隣接する位置に枢着する駆動ホルダと、前記駆動ホルダの上を往復移動可能に取り付けられており一端が前記駆動ホルダ内に挿入されており他端が前記駆動ホルダの他端から露出している連動ロッドと、前記駆動ホルダの上に固定されており且つ前記操作回路と電気的に接続することで前記駆動信号により出力軸で前記連動ロッドを駆動させ前記連動ロッドの他端が前記駆動ホルダの他端の外で往復移動させるモータと、を有する駆動装置と、
底部の前縁部が前記連動ロッドの他端に枢着されており、底部の後縁部が前記台座の後縁部に隣接する位置に枢着されており、頂面が利用者の両足で立つ場所として用いられ、前記連動ロッドの他端が前記駆動ホルダの他端の外で往復移動している状態において、前記台座との間の角度を、前記駆動装置によって前記駆動信号に従って時間順に維持及び動的調整可能な支持板体と、を備えることを特徴とするふくらはぎストレッチ装置。
【請求項２】
前記伸縮棒は、
一端が前記台座の前縁部に固定され、他端が上方に向かって延伸する少なくとも１本の第１棒体と、
一端が前記第１棒体の他端内に可動自在に嵌設され、他端が上方に向かって延伸し、且つ前記操作盤と連結する少なくとも１本の第２棒体と、
前記第１棒体の他端の外側に嵌設され、前記第１棒体及び前記第２棒体を一体に結合させる中間ストッパと、を有することを特徴とする請求項１に記載のふくらはぎストレッチ装置。
【請求項３】
前記角度は、４０度以下であることを特徴とする請求項２に記載のふくらはぎストレッチ装置。
【請求項４】
前記支持板体は、内部にフォトインタラプタを更に有し、前記フォトインタラプタが前記操作回路と電気的に接続し、前記支持板体の上で開口する複数の透光穴が完全に遮られていない状態において、前記操作回路が実行する各運動モードを中止可能であり、且つ前記支持板体を初期状態に戻らせることを特徴とする請求項１〜３のいずれか一項に記載のふくらはぎストレッチ装置。
【請求項５】
前記支持板体は、内部に薄膜式ヒートプレートを更に有し、前記薄膜式ヒートプレートが前記操作回路と電気的に接続し、
前記設定ボタンは、温度設定ボタンを更に有し、前記操作回路が前記表示部で、前記温度設定ボタンで設定した設定温度を表示し、前記設定温度によって前記薄膜式ヒートプレートが駆動され前記支持板体を加熱することを特徴とする請求項４に記載のふくらはぎストレッチ装置。
【請求項６】
前記支持板体は、内部に遠赤外線回路基板を更に有し、前記遠赤外線回路基板が前記操作回路と電気的に接続し、
前記設定ボタンは、遠赤外線設定ボタンを更に含み、前記操作回路が前記遠赤外線回路基板を駆動して遠赤外線を発生させ、前記遠赤外線が前記支持板体上にあけられた複数の遠赤外線貫通孔を介して投射されることを特徴とする請求項４に記載のふくらはぎストレッチ装置。
【請求項７】
前記操作ハンドルに心拍センサプレートが更に設けられており、
前記心拍センサプレートは、前記操作回路と電気的に接続されており、利用者が手で前記操作ハンドルを握った時、利用者の心拍を検出すると共に前記表示部により検出された心拍を表示することを特徴とする請求項４に記載のふくらはぎストレッチ装置。
【請求項８】
前記制御ボタンは、角度上昇ボタンと角度下降ボタンとを有し、前記角度上昇ボタンまたは前記角度下降ボタンが前記操作回路と電気的に接続されており、
前記操作回路は、前記角度上昇ボタンまたは前記角度下降ボタンで設定した設定角度に基づいて、前記表示部に前記設定角度を表示し、前記駆動装置を駆動し、前記支持板体と前記台座との間の角度が前記設定角度を維持するようにすることを特徴とする請求項４に記載のふくらはぎストレッチ装置。
【発明の詳細な説明】
【技術分野】
【０００１】
本発明は、ふくらはぎストレッチ装置に関し、特に、利用者の必要に応じてストレッチ角度を動的に調整することができるふくらはぎストレッチ装置に関する。
【背景技術】
【０００２】
まず、年齢を重ねるにつれ人々の身体の筋肉と関節の柔軟度は益々悪くなるため、人々は運動の効果を通じて、筋肉の柔軟性を高め、例えば、ウォーキング、スロージョギング、登山、サイクリングまたはスイミング等があるが、都市部に住む人々又は仕事に追われるものにとって、前述の運動を毎日実施することは難しいことで、長い期間が過ぎると、必ず関節周辺の靭帯と筋肉組織が徐々に硬くなり、体の柔軟性が下がり、且つ容易に関節痛や腰痛や背部痛等の不快な現象が起きる。これ以外に、筋肉または腱が損傷された後、回復の過程において、前記損傷部位に過形成された繊維が現れ、それら過形成された繊維が腱を硬くし、痛みを引き起こし、これにより関節の動きに影響を及ぼしてきた。
【０００３】
体の柔軟性を効果的に高め、且つ過形成された繊維を減らすため、人々は通常伸ばす運動（つまり、ストレッチ）を行い、ストレッチは主に次の利点がある。
（１）筋肉が緊張することにより血行不良が起きるため、ストレッチによって筋肉に弾力性を取り戻し、新陳代謝機能を活性化させ、筋肉内部に蓄積された老廃物を水分の補助により体外への排出を加速させることができる。
（２）人々が運動する前にストレッチを行うことで、スポーツの最高潮の際、過度に伸ばしたことによる筋肉の断裂を防止でき、且つ日ごろからストレッチすることで、筋肉の弾力性と伸張性を高めることができる以外に、腱の強靱さも強化して筋肉損傷率も大幅に引き下げさせることできる。また、人々が運動を終えた後で行うストレッチも運動後に生じるこり感を緩和することで老廃物も効率よく排出され、過度の運動による筋肉痛が起きない。
（３）ストレッチは緊張しすぎる筋肉、腱と関節を柔らかくすることで、関節が受ける圧力と損傷を軽減し、同時に血液、リンパ液の流れも促進させることで、頭痛や冷え性等を和らげることができる。また、ストレッチにより関節も圧縮できるため、関節液の流れが良くなり、且つ軟部組織の新陳代謝を促進させると共に軟部組織損傷を修復させて、軟骨の退行性変化を軽減できる。
【０００４】
ストレッチングによる利点に鑑み、多くの業者が多種多様なエクササイズ器具を設計することで、人々により一層簡単にストレッチングを行うことができ、例えばストレッチングベンチがある。ただし、既存のストレッチングベンチの大部分は単一角度しかない、または角度の調整が極めて困難で、利用者がストレッチを行う前、自身で所要角度に固定する必要があるため、容易に怠けることとなり運動を続けることができなくなる。よって、良好なストレッチ効果を提供できる以外に、利用者が自身の必要に応じて簡単に異なる運動モードに調整できるエクササイズ器具をどのように設計及び製造するかは、本発明の探究しようとする重要な課題の一つとなっている。
【先行技術文献】
【特許文献】
【０００５】
【特許文献１】特開平７−２２７４４０号公報
【発明の概要】
【発明が解決しようとする課題】
【０００６】
従来のストレッチするエクササイズ器具に多くの問題が存在することに鑑み、発明者は長年に渡る実務経験や、複数の実験及びテストを重ねた結果、利用者の必要に応じてストレッチ角度を動的に調整可能なふくらはぎストレッチ装置を発明した。
本発明の目的は、従来のストレッチするエクササイズ器具の不便性を改善し、利用者の必要に応じてストレッチ角度を動的に調整可能なふくらはぎストレッチ装置を提供することにある。
【課題を解決するための手段】
【０００７】
本発明によるふくらはぎストレッチ装置は、台座と伸縮棒と操作装置と駆動装置と支持板体とを備える。台座は底部が床に横置き可能である。伸縮棒は、一端が台座の前縁部に固定され、他端が上方に向かって延伸する。操作装置は、操作盤と２つの操作ハンドルと操作回路とを有する。操作盤は伸縮棒の他端に固設されている。各操作ハンドルは操作盤の両対向側に固設されており、利用者が両手で握ることに用いられる。操作盤の上には少なくとも１個の表示部及び少なくとも１個の設定ボタンを設けられている。操作ハンドルの上には少なくとも１個の制御ボタンが設けられている。操作回路は、表示部、設定ボタン及び制御ボタンと各々電気的に接続されており、利用者が設定ボタン及び制御ボタンで選択した異なる入力信号（例：時間、角度、手動、プログラム）に基づいて、異なる出力信号を生成し、且つ出力信号を表示部に表示する。各出力信号は運動モードに各々対応することができる。また、駆動装置は、一端が台座の後縁部に隣接する位置に枢着されており、他端が支持板体の底部に往復移動可能に取り付けられており、操作回路の出力信号により、支持板体と台座との間を異なる角度に保持する。これにより、利用者のふくらはぎに対して異なる角度のストレッチングを動的に行うようにすることができる。これにより、利用者が操作装置を操作するだけで、自分に適した運動モードでふくらはぎストレッチ装置を作動させることができ、利用上の利便性を効果的に向上させることができる。
【０００８】
また、本発明は、支持板体内はフォトインタラプタを更に含み、フォトインタラプタが操作回路と電気的に接続し、支持板体上に開いた複数の透光穴が完全に遮られていない状態において、操作回路が実行する各運動モードを中止でき、且つ支持板体を初期状態に戻らせる。これにより、利用者が支持板体上に安定して立っていない、または誤操作により支持板体上に立つことができない時、支持板体がすぐさま又は所定時間を保った後、初期状態に戻り、利用者が負傷するのを避けることができる。
【０００９】
以下に、本発明の目的、技術的特徴及びその効果を審査官に理解してもらうため、実施形態および図面に基づいて詳細に説明する。
【図面の簡単な説明】
【００１０】
【図１】本発明の一実施形態によるふくらはぎストレッチ装置を示す分解斜視図である。
【図２】本発明の一実施形態によるふくらはぎストレッチ装置を示す模式図である。
【図３】本発明の一実施形態によるふくらはぎストレッチ装置を示す分解斜視図である。
【図４】本発明の一実施形態によるふくらはぎストレッチ装置の使用状態を示す模式図である。
【図５】本発明の一実施形態によるふくらはぎストレッチ装置の別の使用状態を示す模式図である。
【発明を実施するための形態】
【００１１】
（一実施形態）
本発明の一実施形態によるふくらはぎストレッチ装置を図面に基づいて説明する。図１及び図２に示すように、ふくらはぎストレッチ装置１は、台座１０と伸縮棒２０と操作装置３０と駆動装置４０と支持板体５０とを含む。前記台座１０の底部を床に横置きされ、本実施形態において、台座１０の底部が平板状を呈しているが、本発明の他の実施形態において、業者は台座１０の態様を変更でき、台座１０が床に安定して置かれることで、本発明で称する台座１０に属する。
【００１２】
図１及び図２に示すように、本実施形態において、伸縮棒２０は少なくとも１本の第１棒体２１と少なくとも１本の第２棒体２２と少なくとも１個の中間ストッパ２３とを含む。第１棒体２１の一端は台座１０の前縁部に固定され、第１棒体２１の他端が上方に向かって延伸し、第２棒体２２の一端が第１棒体２１の他端内に可動自在に嵌設され、第２棒体２２の他端も上方に向かって延伸する。中間ストッパ２３が第１棒体２１の他端外に嵌設され、第１棒体２１及び第２棒体２２が一体に結合することに用いられる。また、中間ストッパ２３が緩んだ状態を呈した時、第２棒体２２と第１棒体２１間が可動自在に移動することで、伸縮棒２０全体の長さを調整できる。中間ストッパ２３が緊張した状態を呈した時、第２棒体２２と第１棒体２１間が移動できなくなることで、伸縮棒２０の現在の長さを固定する。これにより、利用者が中間ストッパ２３を通じて伸縮棒２０全体の長さを調整することで、利用者の身長に合わせることができる。ただし、本発明の他の実施形態において、組立部材を減らして、生産時間を短縮するため、伸縮棒２０を一体成形にも設計できる。
【００１３】
次に、図１及び図２を参照すると、操作装置３０は操作盤３１と２つの操作ハンドル３２と操作回路３３とを備える。操作盤３１が第２棒体２２の他端に固設され、各操作ハンドル３２が操作盤３１の両対向側に固設されて、利用者が両手で握るために供される。本実施形態において、操作盤３１上に複数の表示部３１１及び復数の設定ボタン３１２を設け、且つ操作ハンドル３２上に制御ボタン３２２及び心拍センサプレート３２１を設ける。制御ボタン３２２は角度上昇ボタンと角度下降ボタンとを備える。それら設定ボタン３１２と制御ボタン３２２が押された後、例えば、時間、角度、モード等といった異なる入力信号が生成する。心拍センサプレート３２１は、利用者が手で操作ハンドル３２を握った時、利用者の心拍を検出すると共に心拍信号を生成できる。ただし、本発明の他の実施形態において、業者は設計ニーズに応じて、前記表示部３１１、設定ボタン３１２、制御ボタン３２２及び心拍センサプレート３２１の数量及び配置位置を任意に調整でき、若しくは心拍センサプレート３２１を設けないこともできる。
【００１４】
また、操作回路３３は各々表示部３１１と設定ボタン３１２と制御ボタン３２２と心拍センサプレート３２１と電気的に接続し、利用者が各設定ボタン３１２と制御ボタン３２２を操作した後、各設定ボタン３１２と制御ボタン３２２が対応する入力信号を操作回路３３まで伝送し、心拍センサプレート３２１が心拍信号を操作回路３３に伝送し、操作回路３３に異なる出力信号を生成させ、且つ出力信号を表示部３１１上に表示することで、利用者が各表示部３１１を見てふくらはぎストレッチ装置１の現在の状態を確認し、自身の現在の心拍数を知ることができる。例えば、利用者は角度上昇ボタンまたは角度下降ボタンを押した後、操作回路が角度上昇ボタンまたは角度下降ボタンで設定された角度により、表示部３１１を通じて表示できる。
【００１５】
また、図１及び図２を参照すると、駆動装置４０は駆動ホルダ４１と連動ロッド４２とモータ４３とを含む。駆動ホルダ４１の一端は台座１０の後縁部に隣接する位置に枢着し、連動ロッド４２が駆動ホルダ４１上に往復移動できるよう取り付けられ、連動ロッド４２の一端が駆動ホルダ４１内に挿入し、連動ロッド４２の他端が駆動ホルダ４１の他端から露出する。モータ４３は駆動ホルダ４１上に固定され、且つ操作回路３３と電気的に接続することで、操作回路３３の出力信号により、出力軸で連動ロッド４２を駆動させ、連動ロッド４２の他端が駆動ホルダ４１の他端外に往復移動させる。次に、図３を参照すると、支持板体５０の底部の前縁部が連動ロッド４２の他端に枢着し、支持板体５０の底部後縁部が台座１０の後縁部に隣接する位置に枢着し、支持板体５０の頂面が利用者の両足で立つ場所として供され、連動ロッド４２の他端が駆動ホルダ４１の他端外に往復移動している状態において、支持板体５０と台座１０の間が異なる角度を保持することで、利用者のふくらはぎに対して異なる角度のストレッチングを動的に行わせる。
【００１６】
更に図１及び図２を参照すると、操作回路３３で生成した出力信号は、運動モードに各々対応する。運動モードは時間順によって往復し且つ角度を動的調整する一組の駆動信号を含み、且つ角度が支持板体５０と台座１０間の交角を指し、例えば、１個目が２０秒以内に、角度を０度から５度に調整し、２個目が２０秒以内に、角度を３度から８度に調整し、３個目が２０秒以内に、角度を５度から１０度に調整し、４個目が２０秒以内に、角度を８度から１３度に調整し、５個目が２０秒以内に、角度を１０度から１５度に調整し、その後１５度で４０秒止まった後、３０秒以内に角度を１５度から０度に調整し、これにより、繰り返し行うと運動モードを形成する。前記運動モードは例示するための運動モードのみであり、利用者が自身のニーズに応じて内容が違う運動モードを自由に設計することができることを、予め説明しておき、且つそれら運動モード内において、ふくらはぎは角度の過大による損傷の危険を避けるため、角度の最大は４０度以内が好適である。
【００１７】
次に、図１、４及び図５を参照すると、利用者が支持板体５０上に立ち、且つ各設定ボタン３１２と制御ボタン３２２を操作するだけで、自身のニーズに応じて各種運動モードを設定することで、支持板体５０が異なる時点で、台座１０間と異なる角度に保持させることができる。例えば、操作回路３３が角度上昇ボタンまたは角度下降ボタンから伝送してきた入力信号を受信した後、入力信号で設定した角度により、駆動装置４０を駆動して、支持板体５０と台座１０間を設定角度（図５）に保持させて、設定角度のストレッチとトレーニング効果を強化する。利用者が異なる角度のストレッチ器具を別途購入する必要がないだけでなく、同時に、前記調整方法もかなり簡単で、また利用者の現在の運動ニーズを満たし、利用者がストレッチングを行う利便性を大幅に高めることができる。
【００１８】
特に、本発明の他の実施形態において、利用者が支持板体５０に安定して立っていない時、駆動装置４０が駆動されたことによって利用者の転落事故等を避けるため、支持板体５０上に複数の透光穴５１を開け、且つ各透光穴５１に対応する位置に各々フォトインタラプタ５２を設け、フォトインタラプタ５２が操作回路３３と電気的に接続し、且つ利用者のいずれかの足元が各透光穴５１を遮っていない時、中断メッセージを操作回路３３に伝送することで、操作回路３３が実行する各運動モードを中止し、支持板体５０を初期状態（図４に示すようなもので、つまり支持板体５０と台座１０間を０度状態に保持する）に戻らせる。これにより、支持板体５０が初期状態を呈した時、利用者が立っている姿勢の違いにより、それら透光穴５１を完全に遮っていない場合、駆動装置４０が支持板体５０の移動を駆動しない、若しくは利用者が自身の運動能力を過大評価して誤って支持板体５０と台座１０間の角度が過大になった時、利用者がいずれかの足元を元々位置から離れて透光穴５１を遮らないだけで、支持板体５０を初期状態に戻らせて、利用者の安全性を守ることができる。これ以外に、本発明の他の実施形態において、使用上の安全性を高めるため、利用者の運動過程中、不注意で転倒したにも係らず透光穴５１を遮っていない後、操作回路３３がまず支持板体５０を本来角度に所定時間（例：５分間）保持させてから支持板体５０を初期状態に戻らせることで、支持板体５０が利用者の肢体（例：手、足）を挟むのを避けることができる。
【００１９】
これ以外に、更に図１を参照すると、支持板体５０内には薄膜式ヒートプレート５３を更に含み、薄膜式ヒートプレート５３が操作回路３３と電気的に接続する。設定ボタン３１２も温度設定ボタンを更に含み、利用者が温度設定ボタンを押した後、温度信号を操作回路３３に伝送して、操作回路３３に表示部３１１を通じて、温度設定ボタンで設定した温度を表示させ、また設定温度によって薄膜式ヒートプレート５３を駆動することで、支持板体５０を通じて利用者の足元表面を加熱して、足元の冷たい感を和げ、また足元の血液循環を促進する。次に、前記薄膜式ヒートプレート５３を除き、業者も支持板体５０内に遠赤外線回路基板５４を設け、遠赤外線回路基板５４が操作回路３３と電気的に接続する。設定ボタン３１２は遠赤外線設定ボタンを含み、利用者が遠赤外線設定ボタンを押した後、遠赤外線の起動メッセージを操作回路３３に伝送し、操作回路が遠赤外線回路基板５４を駆動させて、遠赤外線を発生することで、支持板体５０上にあけた複数の遠赤外線貫通孔５４１を通じて、利用者の足部に対して深い加熱を行って、ふくらはぎの血液循環を刺激し、更にふくらはぎの筋絡を更に容易にリラックスさせ、緊張しなくなり、ストレッチの効果を大幅にアップできる。
【００２０】
以上に述べたものは、本発明の好ましい実施形態であって、本発明で主張する権利範囲はこのような実施形態のみに限定されるべきものではなく、当業者が本発明で開示した技術内容に基づき、容易に想到できる種々の修正及び変更は、均しく本発明の保護範囲に属する。
【符号の説明】
【００２１】
１  ふくらはぎストレッチ装置
１０  台座
２０  伸縮棒
２１  第１棒体
２２  第２棒体
２３  中間ストッパ
３０  操作装置
３１  操作盤
３１１  表示部
３１２  設定ボタン
３２  操作ハンドル
３２１  心拍センサプレート
３２２  制御ボタン
３３  操作回路
４０  駆動装置
４１  駆動ホルダ
４２  連動ロッド
４３  モータ
５０  支持板体
５１  透光穴
５２  フォトインタラプタ
５３  薄膜式ヒートプレート
５４  遠赤外線回路基板
５４１  遠赤外線貫通孔
【図１】
0005997300.tif 000002
【図２】
0005997300.tif 000003
【図３】
0005997300.tif 000004
【図４】
0005997300.tif 000005
【図５】
0005997300.tif 000006